(57)【要約】  画面分割操作により新たに生成される表示領域の向きを操作者が存在する方向へ向ける表示装置（１００）であって、画像を表示する表示部（１０４）と、操作者の２以上の指のそれぞれにより指定される表示部（１０４）上の位置である指定位置を検出する操作検出部（１０１）と、操作検出部（１０１）が表示部（１０４）の第一領域において２以上の指定位置が平行移動していることを検出した場合に、２以上の指定位置と２以上の指定位置の移動方向とに基づいて、第一領域内に新たに生成される領域である第二領域の位置と第二領域に表示される画像の表示方向とを決定する操作解析部（１０２）と、操作解析部（１０２）が決定した第二領域の位置と第二領域に表示される画像の表示方向に従って、第二領域に画像を表示させるように表示部（１０４）を制御する表示制御部（１０３）とを備える。
2013111202.tif 000002
【特許請求の範囲】
【請求項１】
画像を表示する表示部と、
操作者の２以上の指のそれぞれにより指定される前記表示部上の位置である指定位置を検出する操作検出部と、
前記操作検出部が、前記表示部の第一領域において２以上の前記指定位置が平行移動していることを検出した場合に、２以上の前記指定位置と、２以上の前記指定位置の移動方向とに基づいて、前記第一領域内に新たに生成される領域である第二領域の位置と前記第二領域に表示される画像の表示方向とを決定する操作解析部と、
前記操作解析部が決定した前記第二領域の位置と前記第二領域に表示される画像の表示方向とに従って、前記第二領域に画像を表示させるように前記表示部を制御する表示制御部とを備える
表示装置。
【請求項２】
前記操作解析部は、
２以上の前記指定位置の並び方向及び移動方向に基づいて、前記表示装置から見た前記操作者の方向を推定し、当該方向を前記第二領域に表示される画像の表示方向として決定する
請求項１に記載の表示装置。
【請求項３】
前記操作解析部は、
２以上の前記指定位置の並び方向及び移動方向に基づいて、前記表示装置から見た前記操作者の方向を推定し、前記第一領域が前記指定位置の軌跡に対応する線により分割されて形成される領域のうち前記操作者に近い方の領域を前記第二領域の位置として決定する
請求項１または請求項２に記載の表示装置。
【請求項４】
前記表示制御部は、
前記第一領域に表示されていた画像を、前記第一領域内の領域であって前記第二領域に含まれない領域である第三領域に表示し、前記操作者のための画像を前記第二領域に表示する
請求項１〜３のいずれか１項に記載の表示装置。
【請求項５】
前記表示制御部は、
前記第三領域に表示される画像の表示方向を、前記第一領域に表示される画像の表示方向に一致する方向に決定する
請求項４に記載の表示装置。
【請求項６】
前記表示制御部は、
前記第一領域に表示されていた画像を、前記第二領域及び前記第三領域のうち少なくとも一方に表示する
請求項４または請求項５に記載の表示装置。
【請求項７】
前記操作解析部は、
前記第一領域内において２の前記指定位置が平行移動していることを検出した場合に、２の前記指定位置と、２の前記指定位置の並び方向及び移動方向とに基づいて、前記第二領域の位置と前記第二領域に表示される画像の表示方向とを決定する
請求項１〜６のいずれか１項に記載の表示装置。
【請求項８】
画像を表示する表示部を備える表示装置における表示方法であって、
操作者の２以上の指のそれぞれにより指定される前記表示部上の位置である指定位置を検出する操作検出ステップと、
前記操作検出ステップにおいて、前記表示部の第一領域において２以上の前記指定位置が平行移動していることが検出された場合に、２以上の前記指定位置と、２以上の前記指定位置の移動方向とに基づいて、前記第一領域内に新たに生成される領域である第二領域の位置と前記第二領域に表示される画像の表示方向とを決定する操作解析ステップと、
前記操作解析ステップにおいて決定された前記第二領域の位置と前記第二領域に表示される画像の表示方向とに従って、前記第二領域に画像を表示させるように前記表示部を制御する表示制御ステップとを含む
表示方法。
【請求項９】
請求項８の表示方法をコンピュータに実行させるためのプログラム。
【発明の詳細な説明】
【技術分野】
【０００１】
本発明は、表示装置および表示方法に関する。
【背景技術】
【０００２】
従来、ディスプレイを有する表示装置において、ディスプレイ表面上で指を移動させることにより、直感的な操作により表示画面を分割し、分割された各領域に異なる画面を映し出す表示装置が知られている（例えば、特許文献１）。【０００３】
特許文献１に開示される技術によれば、表示画面上に表示されたアイコンを所定の方向へ指でドラッグさせると、その方向に基づいて表示画面を分割し、分割された各表示領域に異なる画像を表示させることが開示されており、指の移動のような直感的な操作による画面分割が可能である。
【先行技術文献】
【特許文献】
【０００４】
【特許文献１】特開平９−１３４２７０号公報
【発明の概要】
【発明が解決しようとする課題】
【０００５】
しかしながら、従来技術による画面分割操作では、分割後の画面の表示の向きが操作者の意図する方向と異なる場合に、操作者が画面の表示方向を変更するための操作を別途行わなければならないという問題がある。【０００６】
本発明は、上記の問題を解決すべくなされたものであり、画面分割操作により新たに生成される表示領域の向きを操作者が存在する方向へ向ける表示装置等を提供することを目的とする。
【課題を解決するための手段】
【０００７】
このような目的を達成するために、本発明の一態様にかかる表示装置は、画像を表示する表示部と、操作者の２以上の指のそれぞれにより指定される前記表示部上の位置である指定位置を検出する操作検出部と、前記操作検出部が、前記表示部の第一領域において２以上の前記指定位置が平行移動していることを検出した場合に、２以上の前記指定位置と、２以上の前記指定位置の移動方向とに基づいて、前記第一領域内に新たに生成される領域である第二領域の位置と前記第二領域に表示される画像の表示方向とを決定する操作解析部と、前記操作解析部が決定した前記第二領域の位置と前記第二領域に表示される画像の表示方向とに従って、前記第二領域に画像を表示させるように前記表示部を制御する表示制御部とを備える。【０００８】
なお、これらの全般的または具体的な態様は、システム、方法、集積回路、コンピュータプログラムまたはコンピュータ読み取り可能なＣＤ−ＲＯＭ等の記録媒体で実現されてもよく、システム、方法、集積回路、コンピュータプログラムおよび記録媒体の任意な組み合わせで実現されてもよい。
【発明の効果】
【０００９】
本発明の表示装置によれば、直感的な画面分割操作により、分割後の画面の表示の向きを操作者が存在する向きに一致させることが可能となる。
【図面の簡単な説明】
【００１０】
【図１】図１は、実施の形態１に係る表示装置の外観構成の一例を示す正面図である。
【図２】図２は、実施の形態１に係る表示装置の機能構成の一例を示すブロック図である。
【図３】図３は、操作解析部の処理を示すフローチャートである。
【図４】図４は、実施の形態１に係る画面分割前の表示装置の一例を示す図である。
【図５】図５は、実施の形態１に係る参入者の操作の一例を示す図である。
【図６】図６は、実施の形態１に係る画面分割後の表示装置の一例を示す図である。
【図７】図７は、実施の形態２に係る画面分割前の表示装置の一例を示す図である。
【図８】図８は、実施の形態２に係る参入者の操作の一例を示す図である。
【図９】図９は、実施の形態２に係る画面分割後の表示装置の一例を示す図である。
【図１０】図１０は、実施の形態３に係る画面分割前の表示装置の状態を示す図である。
【図１１】図１１は、実施の形態３に係る参入者の操作の一例を示す図である。
【図１２】図１２は、実施の形態３に係る画面分割後の表示装置の一例を示す図である。
【図１３】図１３は、実施の形態３に係る参入者の操作の他の一例を示す図である。
【図１４】図１４は、実施の形態３に係る画面分割後の表示装置の他の一例を示す図である。
【発明を実施するための形態】
【００１１】
（本発明の基礎となった知見）
本発明者は、「背景技術」の欄において記載した表示装置に関し、以下の問題が生じることを見出した。
【００１２】
特許文献１に示される従来技術は、指による直感的な画面分割は可能であるものの、分割後の画面表示方向まで制御するものではない。例えば、複数人で画面を使用したい場合に、画面分割後に各領域で表示される画像が適切な方向に向けられていない場合が生じ得る。この場合に、画面分割後に画面表示方向を変更するなどの操作者による設定が必要となる。
【００１３】
本発明は、上記の問題を解決すべくなされたものであり、画面分割操作により新たに生成される表示領域の向きを操作者が存在する方向へ向ける表示装置等を提供することを目的とする。
【００１４】
このような目的を達成するために、本発明の一態様にかかる表示装置は、画像を表示する表示部と、操作者の２以上の指のそれぞれにより指定される前記表示部上の位置である指定位置を検出する操作検出部と、前記操作検出部が、前記表示部の第一領域において２以上の前記指定位置が平行移動していることを検出した場合に、２以上の前記指定位置と、２以上の前記指定位置の移動方向とに基づいて、前記第一領域内に新たに生成される領域である第二領域の位置と前記第二領域に表示される画像の表示方向とを決定する操作解析部と、前記操作解析部が決定した前記第二領域の位置と前記第二領域に表示される画像の表示方向とに従って、前記第二領域に画像を表示させるように前記表示部を制御する表示制御部とを備える。
【００１５】
これによれば、新たに表示装置を使用しようとする操作者が、自身の２以上の指によって操作することにより、当該表示装置の表示領域（第一領域）に新たな表示領域（第二領域）を作成することができる。その際に、表示装置は、操作者の指の長さの差によって生ずる指定位置の相対的な位置関係と、指定位置の移動方向とに基づいて、当該新たな表示領域の表示の向きを操作者の存在する方向へ向けることができる。よって、画面表示方向の設定などによらずに、画面分割操作により新たに生成される表示領域の向きを操作者が存在する方向へ向けることができる。
【００１６】
また、例えば、前記操作解析部は、２以上の前記指定位置の並び方向及び移動方向に基づいて、前記表示装置から見た前記操作者の方向を推定し、当該方向を前記第二領域に表示される画像の表示方向として決定するとしてもよい。
【００１７】
これによれば、表示装置は、新たに表示装置を使用しようとする操作者の操作において、操作者の２以上の指の接触位置の並び方向と移動方向とに基づいて、当該操作者が存在する方向を推定する。そして、推定された方向に存在する操作者から使用される場合に自然な向きとなるように、新たな表示領域（第二領域）の表示方向を決定する。よって、画面分割操作により新たに生成される表示領域の向きを操作者が存在する方向へ向けることができる。
【００１８】
また、例えば、前記操作解析部は、２以上の前記指定位置の並び方向及び移動方向に基づいて、前記表示装置から見た前記操作者の方向を推定し、前記第一領域が前記指定位置の軌跡に対応する線により分割されて形成される領域のうち前記操作者に近い方の領域を前記第二領域の位置として決定するとしてもよい。
【００１９】
これによれば、操作者は、分割の操作をした後に形成される表示領域のうち自身に近い方を自身の表示領域として利用できる。よって、画面分割操作により新たに生成される表示領域が操作者の近くに形成され、別途位置調整などの操作をすることなく、操作者は当該表示領域を使用することができる。
【００２０】
また、例えば、前記表示制御部は、前記第一領域に表示されていた画像を、前記第一領域内の領域であって前記第二領域に含まれない領域である第三領域に表示し、前記操作者のための画像を前記第二領域に表示するとしてもよい。
【００２１】
これによれば、新たな操作者の近くに形成される新たな表示領域（第二領域）に、新たな操作者のための操作画面を表示することができる。また、新たな表示領域を形成した後に残存する当該使用者の近くの領域（第三領域）に当該使用者が使用していた表示装置（第一領域）に表示されていた内容を表示することで、使用者は引き続き自身の近くで自身のための表示内容を閲覧することができる。よって、使用者及び新たな操作者は、新たな表示領域を形成した後に、それぞれ自身のための表示領域を閲覧することができる。
【００２２】
また、例えば、前記表示制御部は、前記第三領域に表示される画像の表示方向を、前記第一領域に表示される画像の表示方向に一致する方向に決定するとしてもよい。
【００２３】
これによれば、新たな操作者が現れる前に使用者が表示装置（第一領域）に表示させていた表示内容を、その表示方向のままで当該使用者が引き続き使用することができる。よって、使用者は、新たな表示領域を形成した後にも引き続き、自身のための表示領域を使用することができる。
【００２４】
また、例えば、前記表示制御部は、前記第一領域に表示されていた画像を、前記第二領域及び前記第三領域のうち少なくとも一方に表示するとしてもよい。
【００２５】
これによれば、新たな操作者が現れる前に使用者が表示装置（第一領域）に表示させていた表示内容を、分割の操作をした後に、使用者の近くの領域（第三領域）に表示することができる。同時に、新たな操作者が現れる前に使用者が表示装置（第一領域）に表示させていた表示内容を、分割の操作をした後に、新たな操作者の近くの領域（第二領域）に表示することができる。使用者及び新たな操作者の選択により、いずれかの方法を利用することができる。
【００２６】
また、例えば、前記操作解析部は、前記第一領域内において２の前記指定位置が平行移動していることを検出した場合に、２の前記指定位置と、２の前記指定位置の並び方向及び移動方向とに基づいて、前記第二領域の位置と前記第二領域に表示される画像の表示方向とを決定するとしてもよい。
【００２７】
これによれば、操作者の２本の指の平行移動による操作により、画面分割と新たな画面の画像の表示方向の決定を行うことができる。
【００２８】
また、本発明の一態様にかかる表示方法は、画像を表示する表示部を備える表示装置における表示方法であって、操作者の２以上の指のそれぞれにより指定される前記表示部上の位置である指定位置を検出する操作検出ステップと、前記操作検出ステップにおいて、前記表示部の第一領域において２以上の前記指定位置が平行移動していることが検出された場合に、２以上の前記指定位置と、２以上の前記指定位置の移動方向とに基づいて、前記第一領域内に新たに生成される領域である第二領域の位置と前記第二領域に表示される画像の表示方向とを決定する操作解析ステップと、前記操作解析ステップにおいて決定された前記第二領域の位置と前記第二領域に表示される画像の表示方向とに従って、前記第二領域に画像を表示させるように前記表示部を制御する表示制御ステップとを含む。
【００２９】
これにより、当該表示方法は、上記表示装置と同様の効果を奏する。
【００３０】
また、本発明の一様態であるプログラムは、上記表示方法をコンピュータに実行させる。
【００３１】
これにより、当該コンピュータは、上記表示装置と同様の効果を奏する。
【００３２】
以下、本発明の一態様に係る表示装置について図面を参照しながら具体的に説明する。
【００３３】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３４】
（実施の形態１）
以下、本発明の一態様に係る表示装置１００について図面を用いて説明する。
【００３５】
図１は、実施の形態１に係る表示装置の外観構成の一例を示す正面図である。図２は、実施の形態１の表示装置の機能構成の一例を示すブロック図である。
【００３６】
図１及び図２に示されるように、表示装置１００は、操作検出部１０１と、操作解析部１０２と、表示制御部１０３と、表示部１０４とを備える。
【００３７】
操作検出部１０１は、表示装置１００の画面表面と操作者の指との接触を検出する。操作検出部１０１は、操作者の指と画面表面とが接触した際、接触点の座標データのような検出情報を生成し、操作解析部１０２へ通知する。操作検出部１０１は、例えば、タッチパネルで実現される。なお、操作検出部１０１が検出する対象は、画面表面と操作者の指との直接的な接触に限られず、操作者の指による操作がスタイラスなどの物体を介して間接的に画面表面に伝えられる場合における、画面表面と当該物体との接触であってもよい。
【００３８】
操作解析部１０２は、操作検出部１０１が生成した検出情報から、操作者の指と画面表面との接触点数、接触状態での移動方向または移動距離などを解析する。また、その解析結果から画面分割位置及び分割後の画像表示方向を決定する。
【００３９】
表示制御部１０３は、操作解析部１０２が決定した画面分割位置及び分割後の画像表示方向などの情報に基づいて表示データを作成し、表示部１０４に表示データを送信する。
【００４０】
表示部１０４は、表示制御部１０３からの画像表示情報に基づいて画像を表示する。ここで、図１において、表示部１０４の上部に操作検出部１０１であるタッチパネル（不図示）が配置されている。
【００４１】
なお、表示装置１００の具体例は、タブレット端末、大画面のタッチパネル搭載ディスプレイ、スマートフォン、または、携帯電話端末などである。
【００４２】
以下、本実施の形態の表示装置の動作について図３から図６を用いて説明する。
【００４３】
図３は、操作解析部１０２の動作を示すフローチャートである。図４は、実施の形態１に係る画面分割前の表示装置の状態を示す図である。図５は、実施の形態１に係る参入者の操作の一例を示す図である。図６は、実施の形態１に係る画面分割後の状態を示す図である。
【００４４】
本実施の形態では、図４に示されるように、使用者Ｕ１が位置Ｄにおいて表示装置１００（表示領域４０１）を使用している時に、位置Ｂに新たな使用者である参入者Ｕ２が参入する際に、位置Ａから位置Ｃを結ぶ直線に沿って画面を分割する場合の例を説明する。また、画面分割のための分割操作は、参入者Ｕ２の人差し指及び中指の２本の指による操作を例として説明する。なお、上記の分割操作について、表示部の第一領域内に新たに第二領域を生成する、と表現することもできる。
【００４５】
また、操作者は、分割の境界線とする線に沿って、表示部上で指を滑らせるという直感的な操作により、分割の境界線を指定する。ここで、画面を左右の領域に分割する場合には、分割の境界線とする線に沿って、操作者から見て画面上の上から下への方向（奥から手前への方向）に指を滑らせる操作が自然である。また、画面を上下（奥と手前）に分割する場合には、右利きの操作者の場合、操作者から見て画面上の左から右への方向に指を滑らせる操作が自然である。なお、左利きの操作者の場合は、操作者から見て画面上の右から左への方向に指を滑らせる操作が自然である。操作者の利き手は、あらかじめ設定されていてもよい。また、ユーザ認証などにより操作者を識別し、あらかじめ定められた操作者の利き手情報を用いて利き手を判定してもよい。
【００４６】
本実施の形態について、より詳細に説明する。まず、参入者Ｕ２が参入する前に位置Ｄに使用者Ｕ１が存在する。画像表示方向は、画面中央から位置Ｄへ向かう方向となっている。ここで、画像表示方向とは、画像（表示内容）の上から下へ向かう方向のことである。
【００４７】
次に、図５に示されるように、参入者Ｕ２が位置Ｂに参入する。参入者Ｕ２は、２本の指（例えば、人差し指と中指）を位置Ａ付近に接触させ、２本の指を接触させたまま位置Ｃの方向に向かって移動させることにより画面を分割する。図５において、白丸は人差し指、黒丸は中指の接触位置を示している。
【００４８】
以上の動作を実現させる処理について、図３のフローチャートを参照し以下で説明する。
【００４９】
操作解析部１０２は、表示装置１００が電源投入などにより起動された時に、操作開始位置をクリアする（ステップＳ３０１）。操作検出部１０１は、参入者の操作を検知すると、画面表面上の接触点の検出情報（例えは、座標データ）を生成し、操作解析部１０２に通知する。
【００５０】
次に、操作解析部１０２は、操作検出部１０１から検出情報を通知されると（ステップＳ３０２）、通知された検出情報から画面表面上の接触点数（何点タッチされたか）を解析する。操作解析部１０２は、操作検出部１０１から検出情報を通知されるまで、待ち状態となる。
【００５１】
次に、操作解析部１０２は、接触点数が２つであるか否かを判定する（ステップＳ３０３）。操作解析部１０２は、接触点数が２つであると判定した場合（ステップＳ３０３でＹ）、操作開始位置を保持しているか否かを判定する（ステップＳ３０４）。操作解析部１０２は、ステップＳ３０４で、操作開始位置を保持していないと判定した場合（ステップＳ３０４でＮ）には、検出された２つの接触点を操作開始位置として保持し（ステップＳ３１０）、ステップＳ３０２に戻る。
【００５２】
操作解析部１０２はステップＳ３０３において、接触点数が２つではないと判定した場合（ステップＳ３０３でＮ）には、画面分割操作ではなく、表示装置における通常の操作が行われたと判定し、通常の操作解析処理（ステップＳ３０９）を行った後、ステップＳ３０１に戻る。ここで、操作解析部１０２は、ステップＳ３０３において、接触点数が０であると判定した場合には、分割操作が途中で終了したと判断する。
【００５３】
操作解析部１０２は、ステップＳ３０４において、操作開始位置を保持していると判定した場合（ステップＳ３０４でＹ）には、検出された２つの接触点が平行移動しているか否かを判定する（ステップＳ３０５）。具体的には、操作解析部１０２は、操作開始位置と前回の検出点を結んだ線上に、今回検出された接触点がある場合に、平行移動したと判定する。なお、この判定においては、必ずしも今回検出された接触点が当該線上に存在しなくてもよい。つまり、操作開始位置及び前回の検出点を結んだ線から所定の距離以内の位置にあれば、平行移動したと判定するようにしてもよい。また、操作開始位置及び前回の検出点を結んだ線と、操作開始位置及び今回の検出点とを結んだ線とのなす角の角度が所定の角度以内であれば、平行移動したと判定するようにしてもよい。また、操作解析部１０２は、前回の検出点が存在しない場合には、平行移動したと判定するようにしてもよい。
【００５４】
操作解析部１０２は、ステップＳ３０５において、検出された２つの接触点が操作開始位置より平行移動していないと判定した場合（ステップＳ３０５でＮ）には、画面分割操作ではなく、通常のピンチアウトなどの２点を同時に画面表面に接触させて行う操作などが行われたと判断し、通常の操作解析処理を行った後（ステップＳ３０９）、ステップＳ３０１に戻る。
【００５５】
ステップＳ３０５において、操作解析部１０２は、２点が平行移動していると判定した場合（ステップＳ３０５でＹ）には、開始位置から検出された接触点までの平行移動距離と、予め設定されている既定距離との比較を行う（ステップＳ３０６）。操作解析部１０２は、ステップＳ３０６において、予め設定されている既定距離よりも平行移動距離が小さいと判断した場合（ステップＳ３０６でＮ）には、ステップＳ３０２に戻る。
【００５６】
操作解析部１０２は、ステップＳ３０６において、平行移動された距離が既定距離以上であると判断した場合（ステップＳ３０６でＹ）には、画面分割の操作が完了したと判断し、参入者Ｕ２の位置特定を行う（ステップＳ３０７）。
【００５７】
次に、操作解析部１０２は、表示装置１００に対する参入者Ｕ２の位置を判定する。ここで、２点の平行移動方向が位置Ａから位置Ｃへの方向であるのは、参入者Ｕ２が位置Ｂに参入して指を左から右（位置Ａから位置Ｃ）に平行移動させた場合か、或いは、参入者Ｕ２が位置Ｃに参入して指を上から下（位置Ａから位置Ｃ）に平行移動させた場合かのいずれかである。以下に示す処理により、上記のいずれの場合であるかを判定する。
【００５８】
操作解析部１０２は、図５における操作開始点Ｐ１及びＱ１の位置関係（並び方向）を解析する。操作解析部１０２は、人差し指及び中指の長さが異なることを利用し、候補位置（参入者が参入した位置の候補）より見て、左側の点が右側の点よりも候補位置に近い場合、その候補位置が参入位置であると判定する。以下で、具体的な判定処理について説明する。
【００５９】
図５の場合で、候補位置を位置Ｂとし、以下のように判定を行う。位置Ｂから見て、左側の点であるＱ１が、右側の点であるＰ１より候補位置である位置Ｂに近いことから、参入者Ｕ２が位置Ｂに参入したと判定する。このとき、Ｑ１が人差し指、Ｐ１が中指、すなわち図５の白丸が人差し指、黒丸は中指の接触位置である。
【００６０】
なお、候補位置を位置Ｃとすると、以下のように判定される。位置Ｃから見て、左側の点であるＱ１が、右側の点であるＰ１より候補位置である位置Ｃから遠いことから、参入者Ｕ２が参入した位置は位置Ｃではないと判定される。よって、候補位置を位置Ｂとしたときの判定と矛盾しない。
【００６１】
参入者Ｕ２の位置を特定すると、操作解析部１０２は、特定した参入者Ｕ２の参入位置と、画面分割のために指を移動させた方向の関係を解析し、画面分割方向と分割後の分割画面における画像表示方向とを決定し、画像表示方向情報として表示制御部１０３に通知する（ステップＳ３０８）。
【００６２】
操作解析部１０２は、図６に示すように、画面分割方向（指の移動方向）が位置Ａから位置Ｃの方向である場合、表示画面は位置Ｄ側の分割画面６０１と位置Ｂ側の分割画面６０２とに分割することを決定する。また、操作解析部１０２は、参入位置が位置Ｂであることから、分割後の新領域は参入位置に近い側である位置Ｂ側の分割画面６０２であり、分割前に使用中だった画面は位置Ｄの分割画面６０１に表示することを決定する。なお、分割画面６０１に表示される内容は、分割前の画面の内容を縮小したものでもよいし、従来と同一の大きさであってもよい。さらに、縮小されるか、または、従来と同一の大きさとするかをアプリケーションまたはデータ種別によって決定するようにしてもよい。また、分割画面６０２には、参入者のための画面を表示してもよい。分割画面６０２に表示される画面は、分割前の画面の内容と同一であってもよい。
【００６３】
操作解析部１０２は、参入位置と分割後の分割画面の画像表示方向とを決定した後、参入位置が位置Ｂであることから、新領域に表示する際の画像表示方向は位置Ｄから位置Ｂの向きであり、使用中であった画面を表示する分割画面６０１に表示する画像表示方向は位置Ｂから位置Ｄの向きであることを決定する。操作解析部１０２は、決定した分割方向と分割画面における画像表示方向とを表示制御部１０３に通知する。
【００６４】
表示制御部１０３は、操作解析部１０２から通知された分割方向及び画像表示方向の情報に基づいて、表示部１０４を制御し、図６に示されるように、位置Ｄ側と位置Ｂ側とのそれぞれに画面を２分割する。そして、位置Ｄ側の分割画面６０１には位置Ｂから位置Ｄの方向に画面表示し、位置Ｂ側の分割画面６０２には位置Ｄから位置Ｂの方向に画面表示を行う。
【００６５】
以上で説明したように、本実施の形態においては、参入者が２本指を使用して直感的に画面分割を行うだけで、その移動方向と２本指の接触開始点の２点の位置関係から参入者の参入位置を特定し、画面分割後に適切な方向へ画面表示を行うことができる。
【００６６】
なお、本実施の形態において、画面を分割するという表現を用いたが、表示部の第一領域内に新たな第二領域を生成すると表現することもできる。
【００６７】
以上のように、本発明の一態様に係る表示装置によれば、新たに表示装置を使用しようとする操作者が、自身の２以上の指によって操作することにより、当該表示装置の表示領域（第一領域）に新たな表示領域（第二領域）を作成することができる。その際に、表示装置は、操作者の指の長さの差によって生ずる指定位置の相対的な位置関係と、指定位置の移動方向とに基づいて、当該新たな表示領域の表示の向きを操作者の存在する方向へ向けることができる。よって、画面表示方向の設定などによらずに、画面分割操作により新たに生成される表示領域の向きを操作者が存在する方向へ向けることができる。
【００６８】
また、表示装置は、新たに表示装置を使用しようとする操作者の操作において、操作者の２以上の指の接触位置の並び方向と移動方向とに基づいて、当該操作者が存在する方向を推定する。そして、推定された方向に存在する操作者から使用される場合に自然な向きとなるように、新たな表示領域（第二領域）の表示方向を決定する。よって、画面分割操作により新たに生成される表示領域の向きを操作者が存在する方向へ向けることができる。
【００６９】
また、操作者は、分割の操作をした後に形成される表示領域のうち自身に近い方を自身の表示領域として利用できる。よって、画面分割操作により新たに生成される表示領域が操作者の近くに形成され、別途位置調整などの操作をすることなく、操作者は当該表示領域を使用することができる。
【００７０】
また、新たな操作者の近くに形成される新たな表示領域（第二領域）に、新たな操作者のための操作画面を表示することができる。また、新たな表示領域を形成した後に残存する当該使用者の近くの領域（第三領域）に当該使用者が使用していた表示装置（第一領域）に表示されていた内容を表示することで、使用者は引き続き自身の近くで自身のための表示内容を閲覧することができる。よって、使用者及び新たな操作者は、新たな表示領域を形成した後に、それぞれ自身のための表示領域を閲覧することができる。
【００７１】
また、新たな操作者が現れる前に使用者が表示装置（第一領域）に表示させていた表示内容を、その表示方向のままで当該使用者が引き続き使用することができる。よって、使用者は、新たな表示領域を形成した後にも引き続き、自身のための表示領域を使用することができる。
【００７２】
また、新たな操作者が現れる前に使用者が表示装置（第一領域）に表示させていた表示内容を、分割の操作をした後に、使用者の近くの領域（第三領域）に表示することができる。同時に、新たな操作者が現れる前に使用者が表示装置（第一領域）に表示させていた表示内容を、分割の操作をした後に、新たな操作者の近くの領域（第二領域）に表示することができる。使用者及び新たな操作者の選択により、いずれかの方法を利用することができる。
【００７３】
また、操作者の２本の指の平行移動による操作により、画面分割と新たな画面の画像の表示方向の決定を行うことができる。
【００７４】
（実施の形態２）
実施の形態１では、使用者Ｕ１が位置Ｄにいる状態で、位置Ｂに参入者Ｕ２が参入してきた場合の分割表示方法について説明したが、本実施の形態では、使用者Ｕ３が位置Ｄにいる状態で、位置Ａに参入者Ｕ４が参入してきた場合について説明する。
【００７５】
実施の形態２では、図７に示すように、使用者Ｕ３が位置Ｄにおいて表示装置１００（表示領域７０１）を使用している時に、参入者Ｕ４が位置Ａに参入して画面を位置Ｃから位置Ａの方向に分割する場合の例を説明する。
【００７６】
まず、図７に示すように、参入前においては、位置Ｄに使用者Ｕ３が存在し、画面方向は位置Ｄの方向に向いている。次に、図８に示すように、参入者Ｕ４が位置Ａに参入し、２本の指（例えば、人差し指と中指）を位置Ｃ付近に接触させて位置Ａの方向に向かって移動させる。
【００７７】
操作検出部１０１は、実施の形態１と同様の処理を行い、２本の指が画面表面と接触して移動する際の検出情報を生成して操作解析部１０２に通知する。操作解析部１０２は、検出情報に基づき参入者の位置特定を行う。
【００７８】
次に、操作解析部１０２は、表示装置１００に対する参入者Ｕ４の位置を判定する。ここで、２点の平行移動方向が位置Ｃから位置Ａへの方向であるのは、参入者Ｕ４が位置Ｄに参入して指を左から右（位置Ｃから位置Ａ）に平行移動させた場合か、或いは、参入者Ｕ４が位置Ａに参入して指を上から下（位置Ｃから位置Ａ）に平行移動させた場合かのいずれかである。以下に示す処理により、上記のいずれの場合であるかを判定する。
【００７９】
操作解析部１０２は、図８における開始点Ｐ２及び開始点Ｑ２の位置関係を解析する。操作解析部１０２は、人差し指及び中指の長さが異なることを利用し、候補位置より見て、左側の点が右側の点よりも候補位置に近い場合、その候補位置が参入位置であると判定する。以下で、具体的な判定処理について説明する。
【００８０】
図８の場合、左側の点であるＱ２が、右側の点であるＰ２より候補位置である位置Ａに近いことから、参入者Ｕ４が位置Ａに参入したと判定する。このとき、Ｐ２が中指、Ｑ２が人指し指、すなわち図８の白丸は人差し指、黒丸は中指の接触位置である。
【００８１】
なお、候補位置を位置Ｄとすると、以下のように判定される。位置Ｄから見て、左側の点であるＰ２が、右側の点であるＱ２より候補位置である位置Ｄから遠いことから、参入者Ｕ４が参入した位置は位置Ｄではないと判定される。よって、候補位置を位置Ａとしたときの判定と矛盾しない。
【００８２】
参入者Ｕ４の位置を特定すると、操作解析部１０２は、特定した参入者Ｕ４の参入位置と、画面分割のために指を移動させた方向の関係を解析し、画面分割方向と分割後の分割画面における画像表示方向とを決定し、画像表示方向情報として表示制御部１０３に通知する。
【００８３】
操作解析部１０２は、図９に示すように、画面分割方向（指の移動方向）が位置Ｃから位置Ａの方向である場合、表示画面は位置Ｄ側の分割画面９０１と位置Ｂ側の分割画面９０２とに分割される。操作解析部１０２は、参入位置が位置Ａであることから、分割後の新領域は位置Ｂ側の分割画面９０２であり、使用中だった従来の画面は位置Ｄの分割画面９０１に表示することを決定する。
【００８４】
操作解析部１０２は、参入位置と分割後の新領域の位置とを決定した後、参入位置が位置Ａであることから、新領域に表示する際の画像表示方向は位置Ｃから位置Ａの向きであり、使用中であった画面を表示する分割画面９０１に表示する画像表示方向は位置Ｂから位置Ｄの向きであることを決定する。操作解析部１０２は、決定した分割方向と分割画面における画像表示方向とを表示制御部１０３に通知する。
【００８５】
表示制御部１０３は、操作解析部１０２から通知された分割方向及び画像表示方向の情報に基づいて、表示部１０４を制御し、図９に示されるように、位置Ｄ側と位置Ｂ側とのそれぞれに画面を２分割する。そして、位置Ｄ側の分割画面９０１には位置Ｂから位置Ｄの方向に画面表示し、位置Ｂ側の分割画面９０２には位置Ｃから位置Ａの方向に画面表示を行う。
【００８６】
以上で説明したように、本実施の形態においては、参入者が２本指を使用して直感的に画面分割を行うだけで、その移動方向と２本指の接触開始点の２点の位置関係から参入者の参入位置を特定し、画面分割後に適切な方向へ画面表示を行うことができる。
【００８７】
なお、本実施の形態においては、参入者は位置Ｄにいる使用者に対して、位置Ａに参入してきた場合について説明したが、位置Ｃに参入してきた場合も同様の処理を行って、分割表示を行う。この場合、指の位置は、図８において、人差し指と中指とが反対の位置で、かつ指の方向が位置Ａから位置Ｃとなり、分割後の分割画面９０２の画像表示方向が位置Ａから位置Ｃとなる。
【００８８】
また、本実施の形態の場合、使用者が位置Ｄに存在することから、参入者の位置が位置Ｄである場合を考慮することなく、位置Ａと判定してもよい。
【００８９】
また、参入者の位置が使用者の位置と同じでもよいことを許可する場合は、分割表示領域の画像表示方向が使用者の画面と同じ画像表示方向になる。例えば、図９において、参入者の位置が位置Ｄである場合は、分割画面９０２の画像表示方向は、分割画面９０１と同じ位置Ｂから位置Ｄの方向となる。
【００９０】
（実施の形態３）
実施の形態１では、使用者の正面に参入者が参入してきた場合について説明したが、本実施の形態では、使用者の正面に参入者が参入してきた場合の他の操作の例及び画面分割の例について説明する。
【００９１】
実施の形態３では、図１０に示すように、使用者Ｕ５が位置Ｃにおいて表示装置１００（表示領域１００１）を使用している時に、位置Ａに参入者Ｕ６が参入したことにより、画面を位置Ｃから位置Ａの方向に分割する場合を例にとって説明する。本実施の形態では、参入者Ｕ６が人差し指及び中指の２本の指を使って、分割操作をした場合を考える。
【００９２】
まず、参入者が参入する前においては、位置Ｃに使用者が存在することから、図１０に示すように、画面方向は位置Ｃの方向に向いている。次に、図１１に示すように、参入者が位置Ａに参入し、２本の指（例えば、人差し指と中指）を位置Ｃ付近に接触させ、２本の指を接触させたまま位置Ａの方向に向かって移動させたとする。ここで、図１１において、白丸は人差し指、黒丸は中指の接触位置を示している。
【００９３】
操作検出部１０１は、実施の形態１と同様の処理を行い、２本の指が画面表面と接触して移動する際の検出情報を生成して操作解析部１０２に通知する。操作解析部１０２は、検出情報に基づき参入者の位置特定を行う。
【００９４】
次に、操作解析部１０２は、表示装置１００に対する参入者Ｕ６の位置を判定する。ここで、２点の平行移動方向が位置Ｃから位置Ａへの方向であるのは、参入者Ｕ６が位置Ｄに参入して指を左から右（位置Ｃから位置Ａ）に平行移動させた場合か、或いは、参入者Ｕ６が位置Ａに参入して指を上から下（位置Ｃから位置Ａ）に平行移動させた場合かのいずれかである。以下に示す処理により、上記のいずれの場合であるかを判定する。
【００９５】
操作解析部１０２は、図１１における開始点Ｐ３及び開始点Ｑ３の位置関係を解析する。操作解析部１０２は、人差し指及び中指の長さが異なることを利用し、候補位置より見て、左側の点が右側の点よりも候補位置に近い場合、その候補位置が参入位置であると判定する。以下で、具体的な判定処理について説明する。
【００９６】
図１１の場合で、候補位置を位置Ａとし、以下のように判定を行う。位置Ａから見て、左側の点であるＱ３が、右側の点であるＰ３より候補位置である位置に近いことから、参入者Ｕ６が位置Ａに参入したと判定する。このとき、Ｐ３が中指、Ｑ３が人指し指、すなわち図１１の白丸は人差し指、黒丸は中指の接触位置である。
【００９７】
なお、候補位置を位置Ｄとすると、以下のように判定される。位置Ｄから見て、左側の点であるＰ３が、右側の点であるＱ３より候補位置である位置Ｄから遠いことから、参入者Ｕ６が参入した位置は位置Ｄではないと判定される。よって、候補位置を位置Ａとしたときの判定と矛盾しない。
【００９８】
参入者Ｕ６の位置を特定すると、操作解析部１０２は、特定した参入者Ｕ６の参入位置と、画面分割のために指を移動させた方向との関係を解析し、画面分割方向と分割後の分割画面における画像表示方向とを決定し、画像表示方向情報として表示制御部１０３に通知する。
【００９９】
操作解析部１０２は、図１２に示すように、画面分割方向（指の移動方向）が位置Ｃから位置Ａの方向である場合、表示画面は位置Ｄ側の分割画面１２０１と位置Ｂ側の分割画面１２０２とに分割される。操作解析部１０２は、この場合、分割後の新領域は位置Ｂ側の分割画面１２０２とし、使用中だった従来の画面は位置Ｄ側の分割画面１２０１に表示することを決定する。なお、分割後の新領域を分割画面１２０１とし、使用中だった従来の画面を分割画面１２０２に表示することを決定してもよい。
【０１００】
操作解析部１０２は、参入位置と分割後の新領域の位置とを決定した後、参入位置が位置Ａであることから、新領域に表示する際の画像表示方向は位置Ｃから位置Ａの向きであり、使用中であった画面を表示する分割画面１２０１に表示する画像表示方向は位置Ａから位置Ｃの向きであることを決定する。操作解析部１０２は、決定した分割方向と分割画面における画像表示方向を表示制御部１０３に通知する。
【０１０１】
表示制御部１０３は、操作解析部１０２から通知された分割方向と、画像表示方向の情報に基づいて、表示部１０４を制御し、図１２に示されるように、位置Ｄと位置Ｂ側に画面を２分割する。分割後、位置Ｄ側の分割画面１２０１には位置Ａから位置Ｃの方向に画面表示し、位置Ｂ側の分割画面１２０２には位置Ｃから位置Ａの方向に画面表示を行う。
【０１０２】
なお、図１３に示されるように、表示装置１００（表示領域１３０１）に対して使用者Ｕ７と同じ側である位置Ａに参入者Ｕ８が参入することも可能である。この場合、参入者Ｕ８は位置Ｃから位置Ａの方向に画面を分割する。参入者の指の操作及びその操作を認識する処理は、上記と同様である。
【０１０３】
このようにすると、図１４に示されるように、参入者Ｕ８のための新領域が形成される。つまり、表示画面は位置Ｄ側の分割画面１４０１と位置Ｂ側の分割画面１４０２とに分割される。画面後の画面１４０２の画像表示方向は、参入者Ｕ８の位置の向きとなる。
【０１０４】
なお、このような場合に、位置Ｄ側の分割画面１４０１と位置Ｂ側の分割画面とのどちらに使用者のための画面を表示させるか（どちらに参入者のための画面を表示させるか）について、あらかじめ設定しておき、当該設定に従って決定するようにしてもよい。
【０１０５】
以上により、参入者が２本指を使用して直感的に画面分割を行うだけで、その移動方向と２本指の接触開始点の２点の位置関係から参入者の参入位置を特定し、画面分割後に適切な方向へ画面表示を行うことができる。
【０１０６】
なお、各実施の形態においては、画面分割する際に使用する指として、人差し指及び中指の２本指を使用する場合について説明したが、他の２本指、又は、２本以上の指を使用してもよい。他の２本指、または２本以上の指の場合も、各指の位置関係から参入者の位置を特定することができる。
【０１０７】
また、２本以上の指を使用した場合、その２本以上の指のうちの２本の指の位置から参入者の位置を特定してもよい。
【０１０８】
また、画面分割を解除することに関しては、分割時と同じ操作、つまり、分割された画面の境界線上付近に沿って、画面分割した際と同じ方向に２本以上の指を移動させることで、画面分割を解除してもよい。また、分割時と逆の方向に指を移動させることで解除してもよい。解除の操作方法にはこれら以外の方法を用いてもかまわない。
【０１０９】
また、各実施の形態における表示装置は、画像を表示可能な表示部を有する機器であればよい。
【０１１０】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の画像復号化装置などを実現するソフトウェアは、次のようなプログラムである。
【０１１１】
すなわち、このプログラムは、コンピュータに、画像を表示する表示部を備える表示装置における表示方法であって、操作者の２以上の指のそれぞれにより指定される前記表示部上の位置である指定位置を検出する操作検出ステップと、前記操作検出ステップにおいて、前記表示部の第一領域において２以上の前記指定位置が平行移動していることが検出された場合に、２以上の前記指定位置と、２以上の前記指定位置の移動方向とに基づいて、前記第一領域内に新たに生成される領域である第二領域の位置と前記第二領域に表示される画像の表示方向とを決定する操作解析ステップと、前記操作解析ステップにおいて決定された前記第二領域の位置と前記第二領域に表示される画像の表示方向とに従って、前記第二領域に画像を表示させるように前記表示部を制御する表示制御ステップとを実行させる。
【産業上の利用可能性】
【０１１２】
本発明の表示装置は、複数の操作者が１台の端末を利用する際に有用である。
【符号の説明】
【０１１３】
１００  表示装置
１０１  操作検出部
１０２  操作解析部
１０３  表示制御部
１０４  表示部
【図１】
2013111202.tif 000003
【図２】
2013111202.tif 000004
【図３】
2013111202.tif 000005
【図４】
2013111202.tif 000006
【図５】
2013111202.tif 000007
【図６】
2013111202.tif 000008
【図７】
2013111202.tif 000009
【図８】
2013111202.tif 000010
【図９】
2013111202.tif 000011
【図１０】
2013111202.tif 000012
【図１１】
2013111202.tif 000013
【図１２】
2013111202.tif 000014
【図１３】
2013111202.tif 000015
【図１４】
2013111202.tif 000016
【手続補正書】
【提出日】平成24年10月19日(2012.10.19)
【手続補正１】
【補正対象書類名】明細書
【補正対象項目名】全文
【補正方法】変更
【補正の内容】
【発明の詳細な説明】
【技術分野】
【０００１】
本発明は、表示装置および表示方法に関する。
【背景技術】
【０００２】
従来、ディスプレイを有する表示装置において、ディスプレイ表面上で指を移動させることにより、直感的な操作により表示画面を分割し、分割された各領域に異なる画面を映し出す表示装置が知られている（例えば、特許文献１）。
【０００３】
特許文献１に開示される技術によれば、表示画面上に表示されたアイコンを所定の方向へ指でドラッグさせると、その方向に基づいて表示画面を分割し、分割された各表示領域に異なる画像を表示させることが開示されており、指の移動のような直感的な操作による画面分割が可能である。
【先行技術文献】
【特許文献】
【０００４】
【特許文献１】特開平９−１３４２７０号公報
【発明の概要】
【発明が解決しようとする課題】
【０００５】
しかしながら、従来技術による画面分割操作では、分割後の画面の表示の向きが操作者の意図する方向と異なる場合に、操作者が画面の表示方向を変更するための操作を別途行わなければならないという問題がある。
【０００６】
本発明は、上記の問題を解決すべくなされたものであり、画面分割操作により新たに生成される表示領域の向きを操作者が存在する方向へ向ける表示装置等を提供することを目的とする。
【課題を解決するための手段】
【０００７】
このような目的を達成するために、本発明の一態様にかかる表示装置は、画像を表示する表示部と、操作者の２以上の指のそれぞれにより指定される前記表示部上の位置である指定位置を検出する操作検出部と、前記操作検出部が、前記表示部の第一領域において２以上の前記指定位置が平行移動していることを検出した場合に、２以上の前記指定位置と、２以上の前記指定位置の移動方向とに基づいて、前記第一領域内に新たに生成される領域である第二領域の位置と前記第二領域に表示される画像の表示方向とを決定する操作解析部と、前記操作解析部が決定した前記第二領域の位置と前記第二領域に表示される画像の表示方向とに従って、前記第二領域に画像を表示させるように前記表示部を制御する表示制御部とを備える。
【０００８】
なお、これらの全般的または具体的な態様は、システム、方法、集積回路、コンピュータプログラムまたはコンピュータ読み取り可能なＣＤ−ＲＯＭ等の記録媒体で実現されてもよく、システム、方法、集積回路、コンピュータプログラムおよび記録媒体の任意な組み合わせで実現されてもよい。
【発明の効果】
【０００９】
本発明の表示装置によれば、直感的な画面分割操作により、分割後の画面の表示の向きを操作者が存在する向きに一致させることが可能となる。
【図面の簡単な説明】
【００１０】
【図１】図１は、実施の形態１に係る表示装置の外観構成の一例を示す正面図である。
【図２】図２は、実施の形態１に係る表示装置の機能構成の一例を示すブロック図である。
【図３】図３は、操作解析部の処理を示すフローチャートである。
【図４】図４は、実施の形態１に係る画面分割前の表示装置の一例を示す図である。
【図５】図５は、実施の形態１に係る参入者の操作の一例を示す図である。
【図６】図６は、実施の形態１に係る画面分割後の表示装置の一例を示す図である。
【図７】図７は、実施の形態２に係る画面分割前の表示装置の一例を示す図である。
【図８】図８は、実施の形態２に係る参入者の操作の一例を示す図である。
【図９】図９は、実施の形態２に係る画面分割後の表示装置の一例を示す図である。
【図１０】図１０は、実施の形態３に係る画面分割前の表示装置の状態を示す図である。
【図１１】図１１は、実施の形態３に係る参入者の操作の一例を示す図である。
【図１２】図１２は、実施の形態３に係る画面分割後の表示装置の一例を示す図である。
【図１３】図１３は、実施の形態３に係る参入者の操作の他の一例を示す図である。
【図１４】図１４は、実施の形態３に係る画面分割後の表示装置の他の一例を示す図である。
【発明を実施するための形態】
【００１１】
（本発明の基礎となった知見）
本発明者は、「背景技術」の欄において記載した表示装置に関し、以下の問題が生じることを見出した。
【００１２】
特許文献１に示される従来技術は、指による直感的な画面分割は可能であるものの、分割後の画面表示方向まで制御するものではない。例えば、複数人で画面を使用したい場合に、画面分割後に各領域で表示される画像が適切な方向に向けられていない場合が生じ得る。この場合に、画面分割後に画面表示方向を変更するなどの操作者による設定が必要となる。
【００１３】
本発明は、上記の問題を解決すべくなされたものであり、画面分割操作により新たに生成される表示領域の向きを操作者が存在する方向へ向ける表示装置等を提供することを目的とする。
【００１４】
このような目的を達成するために、本発明の一態様にかかる表示装置は、画像を表示する表示部と、操作者の２以上の指のそれぞれにより指定される前記表示部上の位置である指定位置を検出する操作検出部と、前記操作検出部が、前記表示部の第一領域において２以上の前記指定位置が平行移動していることを検出した場合に、２以上の前記指定位置と、２以上の前記指定位置の移動方向とに基づいて、前記第一領域内に新たに生成される領域である第二領域の位置と前記第二領域に表示される画像の表示方向とを決定する操作解析部と、前記操作解析部が決定した前記第二領域の位置と前記第二領域に表示される画像の表示方向とに従って、前記第二領域に画像を表示させるように前記表示部を制御する表示制御部とを備える。
【００１５】
これによれば、新たに表示装置を使用しようとする操作者が、自身の２以上の指によって操作することにより、当該表示装置の表示領域（第一領域）に新たな表示領域（第二領域）を作成することができる。その際に、表示装置は、操作者の指の長さの差によって生ずる指定位置の相対的な位置関係と、指定位置の移動方向とに基づいて、当該新たな表示領域の表示の向きを操作者の存在する方向へ向けることができる。よって、画面表示方向の設定などによらずに、画面分割操作により新たに生成される表示領域の向きを操作者が存在する方向へ向けることができる。
【００１６】
また、例えば、前記操作解析部は、２以上の前記指定位置の並び方向及び移動方向に基づいて、前記表示装置から見た前記操作者の方向を推定し、当該方向を前記第二領域に表示される画像の表示方向として決定するとしてもよい。
【００１７】
これによれば、表示装置は、新たに表示装置を使用しようとする操作者の操作において、操作者の２以上の指の接触位置の並び方向と移動方向とに基づいて、当該操作者が存在する方向を推定する。そして、推定された方向に存在する操作者から使用される場合に自然な向きとなるように、新たな表示領域（第二領域）の表示方向を決定する。よって、画面分割操作により新たに生成される表示領域の向きを操作者が存在する方向へ向けることができる。
【００１８】
また、例えば、前記操作解析部は、２以上の前記指定位置の並び方向及び移動方向に基づいて、前記表示装置から見た前記操作者の方向を推定し、前記第一領域が前記指定位置の軌跡に対応する線により分割されて形成される領域のうち前記操作者に近い方の領域を前記第二領域の位置として決定するとしてもよい。
【００１９】
これによれば、操作者は、分割の操作をした後に形成される表示領域のうち自身に近い方を自身の表示領域として利用できる。よって、画面分割操作により新たに生成される表示領域が操作者の近くに形成され、別途位置調整などの操作をすることなく、操作者は当該表示領域を使用することができる。
【００２０】
また、例えば、前記表示制御部は、前記第一領域に表示されていた画像を、前記第一領域内の領域であって前記第二領域に含まれない領域である第三領域に表示し、前記操作者のための画像を前記第二領域に表示するとしてもよい。
【００２１】
これによれば、新たな操作者の近くに形成される新たな表示領域（第二領域）に、新たな操作者のための操作画面を表示することができる。また、新たな表示領域を形成した後に残存する当該使用者の近くの領域（第三領域）に当該使用者が使用していた表示装置（第一領域）に表示されていた内容を表示することで、使用者は引き続き自身の近くで自身のための表示内容を閲覧することができる。よって、使用者及び新たな操作者は、新たな表示領域を形成した後に、それぞれ自身のための表示領域を閲覧することができる。
【００２２】
また、例えば、前記表示制御部は、前記第三領域に表示される画像の表示方向を、前記第一領域に表示される画像の表示方向に一致する方向に決定するとしてもよい。
【００２３】
これによれば、新たな操作者が現れる前に使用者が表示装置（第一領域）に表示させていた表示内容を、その表示方向のままで当該使用者が引き続き使用することができる。よって、使用者は、新たな表示領域を形成した後にも引き続き、自身のための表示領域を使用することができる。
【００２４】
また、例えば、前記表示制御部は、前記第一領域に表示されていた画像を、前記第二領域及び前記第三領域のうち少なくとも一方に表示するとしてもよい。
【００２５】
これによれば、新たな操作者が現れる前に使用者が表示装置（第一領域）に表示させていた表示内容を、分割の操作をした後に、使用者の近くの領域（第三領域）に表示することができる。同時に、新たな操作者が現れる前に使用者が表示装置（第一領域）に表示させていた表示内容を、分割の操作をした後に、新たな操作者の近くの領域（第二領域）に表示することができる。使用者及び新たな操作者の選択により、いずれかの方法を利用することができる。
【００２６】
また、例えば、前記操作解析部は、前記第一領域内において２の前記指定位置が平行移動していることを検出した場合に、２の前記指定位置と、２の前記指定位置の並び方向及び移動方向とに基づいて、前記第二領域の位置と前記第二領域に表示される画像の表示方向とを決定するとしてもよい。
【００２７】
これによれば、操作者の２本の指の平行移動による操作により、画面分割と新たな画面の画像の表示方向の決定を行うことができる。
【００２８】
また、本発明の一態様にかかる表示方法は、画像を表示する表示部を備える表示装置における表示方法であって、操作者の２以上の指のそれぞれにより指定される前記表示部上の位置である指定位置を検出する操作検出ステップと、前記操作検出ステップにおいて、前記表示部の第一領域において２以上の前記指定位置が平行移動していることが検出された場合に、２以上の前記指定位置と、２以上の前記指定位置の移動方向とに基づいて、前記第一領域内に新たに生成される領域である第二領域の位置と前記第二領域に表示される画像の表示方向とを決定する操作解析ステップと、前記操作解析ステップにおいて決定された前記第二領域の位置と前記第二領域に表示される画像の表示方向とに従って、前記第二領域に画像を表示させるように前記表示部を制御する表示制御ステップとを含む。
【００２９】
これにより、当該表示方法は、上記表示装置と同様の効果を奏する。
【００３０】
また、本発明の一様態であるプログラムは、上記表示方法をコンピュータに実行させる。
【００３１】
これにより、当該コンピュータは、上記表示装置と同様の効果を奏する。
【００３２】
以下、本発明の一態様に係る表示装置について図面を参照しながら具体的に説明する。
【００３３】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３４】
（実施の形態１）
以下、本発明の一態様に係る表示装置１００について図面を用いて説明する。
【００３５】
図１は、実施の形態１に係る表示装置の外観構成の一例を示す正面図である。図２は、実施の形態１の表示装置の機能構成の一例を示すブロック図である。
【００３６】
図１及び図２に示されるように、表示装置１００は、操作検出部１０１と、操作解析部１０２と、表示制御部１０３と、表示部１０４とを備える。
【００３７】
操作検出部１０１は、表示装置１００の画面表面と操作者の指との接触を検出する。操作検出部１０１は、操作者の指と画面表面とが接触した際、接触点の座標データのような検出情報を生成し、操作解析部１０２へ通知する。操作検出部１０１は、例えば、タッチパネルで実現される。なお、操作検出部１０１が検出する対象は、画面表面と操作者の指との直接的な接触に限られず、操作者の指による操作がスタイラスなどの物体を介して間接的に画面表面に伝えられる場合における、画面表面と当該物体との接触であってもよい。
【００３８】
操作解析部１０２は、操作検出部１０１が生成した検出情報から、操作者の指と画面表面との接触点数、接触状態での移動方向または移動距離などを解析する。また、その解析結果から画面分割位置及び分割後の画像表示方向を決定する。
【００３９】
表示制御部１０３は、操作解析部１０２が決定した画面分割位置及び分割後の画像表示方向などの情報に基づいて表示データを作成し、表示部１０４に表示データを送信する。
【００４０】
表示部１０４は、表示制御部１０３からの画像表示情報に基づいて画像を表示する。ここで、図１において、表示部１０４の上部に操作検出部１０１であるタッチパネル（不図示）が配置されている。
【００４１】
なお、表示装置１００の具体例は、タブレット端末、大画面のタッチパネル搭載ディスプレイ、スマートフォン、または、携帯電話端末などである。
【００４２】
以下、本実施の形態の表示装置の動作について図３から図６を用いて説明する。
【００４３】
図３は、操作解析部１０２の動作を示すフローチャートである。図４は、実施の形態１に係る画面分割前の表示装置の状態を示す図である。図５は、実施の形態１に係る参入者の操作の一例を示す図である。図６は、実施の形態１に係る画面分割後の状態を示す図である。
【００４４】
本実施の形態では、図４に示されるように、使用者Ｕ１が位置Ｄにおいて表示装置１００（表示領域４０１）を使用している時に、位置Ｂに新たな使用者である参入者Ｕ２が参入する際に、位置Ａから位置Ｃを結ぶ直線に沿って画面を分割する場合の例を説明する。また、画面分割のための分割操作は、参入者Ｕ２の人差し指及び中指の２本の指による操作を例として説明する。なお、上記の分割操作について、表示部の第一領域内に新たに第二領域を生成する、と表現することもできる。
【００４５】
また、操作者は、分割の境界線とする線に沿って、表示部上で指を滑らせるという直感的な操作により、分割の境界線を指定する。ここで、画面を左右の領域に分割する場合には、分割の境界線とする線に沿って、操作者から見て画面上の上から下への方向（奥から手前への方向）に指を滑らせる操作が自然である。また、画面を上下（奥と手前）に分割する場合には、右利きの操作者の場合、操作者から見て画面上の左から右への方向に指を滑らせる操作が自然である。なお、左利きの操作者の場合は、操作者から見て画面上の右から左への方向に指を滑らせる操作が自然である。操作者の利き手は、あらかじめ設定されていてもよい。また、ユーザ認証などにより操作者を識別し、あらかじめ定められた操作者の利き手情報を用いて利き手を判定してもよい。
【００４６】
本実施の形態について、より詳細に説明する。まず、参入者Ｕ２が参入する前に位置Ｄに使用者Ｕ１が存在する。画像表示方向は、画面中央から位置Ｄへ向かう方向となっている。ここで、画像表示方向とは、画像（表示内容）の上から下へ向かう方向のことである。
【００４７】
次に、図５に示されるように、参入者Ｕ２が位置Ｂに参入する。参入者Ｕ２は、２本の指（例えば、人差し指と中指）を位置Ａ付近に接触させ、２本の指を接触させたまま位置Ｃの方向に向かって移動させることにより画面を分割する。図５において、白丸は人差し指、黒丸は中指の接触位置を示している。
【００４８】
以上の動作を実現させる処理について、図３のフローチャートを参照し以下で説明する。
【００４９】
操作解析部１０２は、表示装置１００が電源投入などにより起動された時に、操作開始位置をクリアする（ステップＳ３０１）。操作検出部１０１は、参入者の操作を検知すると、画面表面上の接触点の検出情報（例えは、座標データ）を生成し、操作解析部１０２に通知する。
【００５０】
次に、操作解析部１０２は、操作検出部１０１から検出情報を通知されると（ステップＳ３０２）、通知された検出情報から画面表面上の接触点数（何点タッチされたか）を解析する。操作解析部１０２は、操作検出部１０１から検出情報を通知されるまで、待ち状態となる。
【００５１】
次に、操作解析部１０２は、接触点数が２つであるか否かを判定する（ステップＳ３０３）。操作解析部１０２は、接触点数が２つであると判定した場合（ステップＳ３０３でＹ）、操作開始位置を保持しているか否かを判定する（ステップＳ３０４）。操作解析部１０２は、ステップＳ３０４で、操作開始位置を保持していないと判定した場合（ステップＳ３０４でＮ）には、検出された２つの接触点を操作開始位置として保持し（ステップＳ３１０）、ステップＳ３０２に戻る。
【００５２】
操作解析部１０２はステップＳ３０３において、接触点数が２つではないと判定した場合（ステップＳ３０３でＮ）には、画面分割操作ではなく、表示装置における通常の操作が行われたと判定し、通常の操作解析処理（ステップＳ３０９）を行った後、ステップＳ３０１に戻る。ここで、操作解析部１０２は、ステップＳ３０３において、接触点数が０であると判定した場合には、分割操作が途中で終了したと判断する。
【００５３】
操作解析部１０２は、ステップＳ３０４において、操作開始位置を保持していると判定した場合（ステップＳ３０４でＹ）には、検出された２つの接触点が平行移動しているか否かを判定する（ステップＳ３０５）。具体的には、操作解析部１０２は、操作開始位置と前回の検出点を結んだ線上に、今回検出された接触点がある場合に、平行移動したと判定する。なお、この判定においては、必ずしも今回検出された接触点が当該線上に存在しなくてもよい。つまり、操作開始位置及び前回の検出点を結んだ線から所定の距離以内の位置にあれば、平行移動したと判定するようにしてもよい。また、操作開始位置及び前回の検出点を結んだ線と、操作開始位置及び今回の検出点とを結んだ線とのなす角の角度が所定の角度以内であれば、平行移動したと判定するようにしてもよい。また、操作解析部１０２は、前回の検出点が存在しない場合には、平行移動したと判定するようにしてもよい。
【００５４】
操作解析部１０２は、ステップＳ３０５において、検出された２つの接触点が操作開始位置より平行移動していないと判定した場合（ステップＳ３０５でＮ）には、画面分割操作ではなく、通常のピンチアウトなどの２点を同時に画面表面に接触させて行う操作などが行われたと判断し、通常の操作解析処理を行った後（ステップＳ３０９）、ステップＳ３０１に戻る。
【００５５】
ステップＳ３０５において、操作解析部１０２は、２点が平行移動していると判定した場合（ステップＳ３０５でＹ）には、開始位置から検出された接触点までの平行移動距離と、予め設定されている既定距離との比較を行う（ステップＳ３０６）。操作解析部１０２は、ステップＳ３０６において、予め設定されている既定距離よりも平行移動距離が小さいと判断した場合（ステップＳ３０６でＮ）には、ステップＳ３０２に戻る。
【００５６】
操作解析部１０２は、ステップＳ３０６において、平行移動された距離が既定距離以上であると判断した場合（ステップＳ３０６でＹ）には、画面分割の操作が完了したと判断し、参入者Ｕ２の位置特定を行う（ステップＳ３０７）。
【００５７】
次に、操作解析部１０２は、表示装置１００に対する参入者Ｕ２の位置を判定する。ここで、２点の平行移動方向が位置Ａから位置Ｃへの方向であるのは、参入者Ｕ２が位置Ｂに参入して指を左から右（位置Ａから位置Ｃ）に平行移動させた場合か、或いは、参入者Ｕ２が位置Ｃに参入して指を上から下（位置Ａから位置Ｃ）に平行移動させた場合かのいずれかである。以下に示す処理により、上記のいずれの場合であるかを判定する。
【００５８】
操作解析部１０２は、図５における操作開始点Ｐ１及びＱ１の位置関係（並び方向）を解析する。操作解析部１０２は、人差し指及び中指の長さが異なることを利用し、候補位置（参入者が参入した位置の候補）より見て、左側の点が右側の点よりも候補位置に近い場合、その候補位置が参入位置であると判定する。以下で、具体的な判定処理について説明する。
【００５９】
図５の場合で、候補位置を位置Ｂとし、以下のように判定を行う。位置Ｂから見て、左側の点であるＱ１が、右側の点であるＰ１より候補位置である位置Ｂに近いことから、参入者Ｕ２が位置Ｂに参入したと判定する。このとき、Ｑ１が人差し指、Ｐ１が中指、すなわち図５の白丸が人差し指、黒丸は中指の接触位置である。
【００６０】
なお、候補位置を位置Ｃとすると、以下のように判定される。位置Ｃから見て、左側の点であるＱ１が、右側の点であるＰ１より候補位置である位置Ｃから遠いことから、参入者Ｕ２が参入した位置は位置Ｃではないと判定される。よって、候補位置を位置Ｂとしたときの判定と矛盾しない。
【００６１】
参入者Ｕ２の位置を特定すると、操作解析部１０２は、特定した参入者Ｕ２の参入位置と、画面分割のために指を移動させた方向の関係を解析し、画面分割方向と分割後の分割画面における画像表示方向とを決定し、画像表示方向情報として表示制御部１０３に通知する（ステップＳ３０８）。
【００６２】
操作解析部１０２は、図６に示すように、画面分割方向（指の移動方向）が位置Ａから位置Ｃの方向である場合、表示画面は位置Ｄ側の分割画面６０１と位置Ｂ側の分割画面６０２とに分割することを決定する。また、操作解析部１０２は、参入位置が位置Ｂであることから、分割後の新領域は参入位置に近い側である位置Ｂ側の分割画面６０２であり、分割前に使用中だった画面は位置Ｄの分割画面６０１に表示することを決定する。なお、分割画面６０１に表示される内容は、分割前の画面の内容を縮小したものでもよいし、従来と同一の大きさであってもよい。さらに、縮小されるか、または、従来と同一の大きさとするかをアプリケーションまたはデータ種別によって決定するようにしてもよい。また、分割画面６０２には、参入者のための画面を表示してもよい。分割画面６０２に表示される画面は、分割前の画面の内容と同一であってもよい。
【００６３】
操作解析部１０２は、参入位置と分割後の分割画面の画像表示方向とを決定した後、参入位置が位置Ｂであることから、新領域に表示する際の画像表示方向は位置Ｄから位置Ｂの向きであり、使用中であった画面を表示する分割画面６０１に表示する画像表示方向は位置Ｂから位置Ｄの向きであることを決定する。操作解析部１０２は、決定した分割方向と分割画面における画像表示方向とを表示制御部１０３に通知する。
【００６４】
表示制御部１０３は、操作解析部１０２から通知された分割方向及び画像表示方向の情報に基づいて、表示部１０４を制御し、図６に示されるように、位置Ｄ側と位置Ｂ側とのそれぞれに画面を２分割する。そして、位置Ｄ側の分割画面６０１には位置Ｂから位置Ｄの方向に画面表示し、位置Ｂ側の分割画面６０２には位置Ｄから位置Ｂの方向に画面表示を行う。
【００６５】
以上で説明したように、本実施の形態においては、参入者が２本指を使用して直感的に画面分割を行うだけで、その移動方向と２本指の接触開始点の２点の位置関係から参入者の参入位置を特定し、画面分割後に適切な方向へ画面表示を行うことができる。
【００６６】
なお、本実施の形態において、画面を分割するという表現を用いたが、表示部の第一領域内に新たな第二領域を生成すると表現することもできる。
【００６７】
以上のように、本発明の一態様に係る表示装置によれば、新たに表示装置を使用しようとする操作者が、自身の２以上の指によって操作することにより、当該表示装置の表示領域（第一領域）に新たな表示領域（第二領域）を作成することができる。その際に、表示装置は、操作者の指の長さの差によって生ずる指定位置の相対的な位置関係と、指定位置の移動方向とに基づいて、当該新たな表示領域の表示の向きを操作者の存在する方向へ向けることができる。よって、画面表示方向の設定などによらずに、画面分割操作により新たに生成される表示領域の向きを操作者が存在する方向へ向けることができる。
【００６８】
また、表示装置は、新たに表示装置を使用しようとする操作者の操作において、操作者の２以上の指の接触位置の並び方向と移動方向とに基づいて、当該操作者が存在する方向を推定する。そして、推定された方向に存在する操作者から使用される場合に自然な向きとなるように、新たな表示領域（第二領域）の表示方向を決定する。よって、画面分割操作により新たに生成される表示領域の向きを操作者が存在する方向へ向けることができる。
【００６９】
また、操作者は、分割の操作をした後に形成される表示領域のうち自身に近い方を自身の表示領域として利用できる。よって、画面分割操作により新たに生成される表示領域が操作者の近くに形成され、別途位置調整などの操作をすることなく、操作者は当該表示領域を使用することができる。
【００７０】
また、新たな操作者の近くに形成される新たな表示領域（第二領域）に、新たな操作者のための操作画面を表示することができる。また、新たな表示領域を形成した後に残存する当該使用者の近くの領域（第三領域）に当該使用者が使用していた表示装置（第一領域）に表示されていた内容を表示することで、使用者は引き続き自身の近くで自身のための表示内容を閲覧することができる。よって、使用者及び新たな操作者は、新たな表示領域を形成した後に、それぞれ自身のための表示領域を閲覧することができる。
【００７１】
また、新たな操作者が現れる前に使用者が表示装置（第一領域）に表示させていた表示内容を、その表示方向のままで当該使用者が引き続き使用することができる。よって、使用者は、新たな表示領域を形成した後にも引き続き、自身のための表示領域を使用することができる。
【００７２】
また、新たな操作者が現れる前に使用者が表示装置（第一領域）に表示させていた表示内容を、分割の操作をした後に、使用者の近くの領域（第三領域）に表示することができる。同時に、新たな操作者が現れる前に使用者が表示装置（第一領域）に表示させていた表示内容を、分割の操作をした後に、新たな操作者の近くの領域（第二領域）に表示することができる。使用者及び新たな操作者の選択により、いずれかの方法を利用することができる。
【００７３】
また、操作者の２本の指の平行移動による操作により、画面分割と新たな画面の画像の表示方向の決定を行うことができる。
【００７４】
（実施の形態２）
実施の形態１では、使用者Ｕ１が位置Ｄにいる状態で、位置Ｂに参入者Ｕ２が参入してきた場合の分割表示方法について説明したが、本実施の形態では、使用者Ｕ３が位置Ｄにいる状態で、位置Ａに参入者Ｕ４が参入してきた場合について説明する。
【００７５】
実施の形態２では、図７に示すように、使用者Ｕ３が位置Ｄにおいて表示装置１００（表示領域７０１）を使用している時に、参入者Ｕ４が位置Ａに参入して画面を位置Ｃから位置Ａの方向に分割する場合の例を説明する。
【００７６】
まず、図７に示すように、参入前においては、位置Ｄに使用者Ｕ３が存在し、画面方向は位置Ｄの方向に向いている。次に、図８に示すように、参入者Ｕ４が位置Ａに参入し、２本の指（例えば、人差し指と中指）を位置Ｃ付近に接触させて位置Ａの方向に向かって移動させる。
【００７７】
操作検出部１０１は、実施の形態１と同様の処理を行い、２本の指が画面表面と接触して移動する際の検出情報を生成して操作解析部１０２に通知する。操作解析部１０２は、検出情報に基づき参入者の位置特定を行う。
【００７８】
次に、操作解析部１０２は、表示装置１００に対する参入者Ｕ４の位置を判定する。ここで、２点の平行移動方向が位置Ｃから位置Ａへの方向であるのは、参入者Ｕ４が位置Ｄに参入して指を左から右（位置Ｃから位置Ａ）に平行移動させた場合か、或いは、参入者Ｕ４が位置Ａに参入して指を上から下（位置Ｃから位置Ａ）に平行移動させた場合かのいずれかである。以下に示す処理により、上記のいずれの場合であるかを判定する。
【００７９】
操作解析部１０２は、図８における開始点Ｐ２及び開始点Ｑ２の位置関係を解析する。操作解析部１０２は、人差し指及び中指の長さが異なることを利用し、候補位置より見て、左側の点が右側の点よりも候補位置に近い場合、その候補位置が参入位置であると判定する。以下で、具体的な判定処理について説明する。
【００８０】
図８の場合、左側の点であるＱ２が、右側の点であるＰ２より候補位置である位置Ａに近いことから、参入者Ｕ４が位置Ａに参入したと判定する。このとき、Ｐ２が中指、Ｑ２が人指し指、すなわち図８の白丸は人差し指、黒丸は中指の接触位置である。
【００８１】
なお、候補位置を位置Ｄとすると、以下のように判定される。位置Ｄから見て、左側の点であるＰ２が、右側の点であるＱ２より候補位置である位置Ｄから遠いことから、参入者Ｕ４が参入した位置は位置Ｄではないと判定される。よって、候補位置を位置Ａとしたときの判定と矛盾しない。
【００８２】
参入者Ｕ４の位置を特定すると、操作解析部１０２は、特定した参入者Ｕ４の参入位置と、画面分割のために指を移動させた方向の関係を解析し、画面分割方向と分割後の分割画面における画像表示方向とを決定し、画像表示方向情報として表示制御部１０３に通知する。
【００８３】
操作解析部１０２は、図９に示すように、画面分割方向（指の移動方向）が位置Ｃから位置Ａの方向である場合、表示画面は位置Ｄ側の分割画面９０１と位置Ｂ側の分割画面９０２とに分割される。操作解析部１０２は、参入位置が位置Ａであることから、分割後の新領域は位置Ｂ側の分割画面９０２であり、使用中だった従来の画面は位置Ｄの分割画面９０１に表示することを決定する。
【００８４】
操作解析部１０２は、参入位置と分割後の新領域の位置とを決定した後、参入位置が位置Ａであることから、新領域に表示する際の画像表示方向は位置Ｃから位置Ａの向きであり、使用中であった画面を表示する分割画面９０１に表示する画像表示方向は位置Ｂから位置Ｄの向きであることを決定する。操作解析部１０２は、決定した分割方向と分割画面における画像表示方向とを表示制御部１０３に通知する。
【００８５】
表示制御部１０３は、操作解析部１０２から通知された分割方向及び画像表示方向の情報に基づいて、表示部１０４を制御し、図９に示されるように、位置Ｄ側と位置Ｂ側とのそれぞれに画面を２分割する。そして、位置Ｄ側の分割画面９０１には位置Ｂから位置Ｄの方向に画面表示し、位置Ｂ側の分割画面９０２には位置Ｃから位置Ａの方向に画面表示を行う。
【００８６】
以上で説明したように、本実施の形態においては、参入者が２本指を使用して直感的に画面分割を行うだけで、その移動方向と２本指の接触開始点の２点の位置関係から参入者の参入位置を特定し、画面分割後に適切な方向へ画面表示を行うことができる。
【００８７】
なお、本実施の形態においては、参入者は位置Ｄにいる使用者に対して、位置Ａに参入してきた場合について説明したが、位置Ｃに参入してきた場合も同様の処理を行って、分割表示を行う。この場合、指の位置は、図８において、人差し指と中指とが反対の位置で、かつ指の方向が位置Ａから位置Ｃとなり、分割後の分割画面９０２の画像表示方向が位置Ａから位置Ｃとなる。
【００８８】
また、本実施の形態の場合、使用者が位置Ｄに存在することから、参入者の位置が位置Ｄである場合を考慮することなく、位置Ａと判定してもよい。
【００８９】
また、参入者の位置が使用者の位置と同じでもよいことを許可する場合は、分割表示領域の画像表示方向が使用者の画面と同じ画像表示方向になる。例えば、図９において、参入者の位置が位置Ｄである場合は、分割画面９０２の画像表示方向は、分割画面９０１と同じ位置Ｂから位置Ｄの方向となる。
【００９０】
（実施の形態３）
実施の形態１では、使用者の正面に参入者が参入してきた場合について説明したが、本実施の形態では、使用者の正面に参入者が参入してきた場合の他の操作の例及び画面分割の例について説明する。
【００９１】
実施の形態３では、図１０に示すように、使用者Ｕ５が位置Ｃにおいて表示装置１００（表示領域１００１）を使用している時に、位置Ａに参入者Ｕ６が参入したことにより、画面を位置Ｃから位置Ａの方向に分割する場合を例にとって説明する。本実施の形態では、参入者Ｕ６が人差し指及び中指の２本の指を使って、分割操作をした場合を考える。
【００９２】
まず、参入者が参入する前においては、位置Ｃに使用者が存在することから、図１０に示すように、画面方向は位置Ｃの方向に向いている。次に、図１１に示すように、参入者が位置Ａに参入し、２本の指（例えば、人差し指と中指）を位置Ｃ付近に接触させ、２本の指を接触させたまま位置Ａの方向に向かって移動させたとする。ここで、図１１において、白丸は人差し指、黒丸は中指の接触位置を示している。
【００９３】
操作検出部１０１は、実施の形態１と同様の処理を行い、２本の指が画面表面と接触して移動する際の検出情報を生成して操作解析部１０２に通知する。操作解析部１０２は、検出情報に基づき参入者の位置特定を行う。
【００９４】
次に、操作解析部１０２は、表示装置１００に対する参入者Ｕ６の位置を判定する。ここで、２点の平行移動方向が位置Ｃから位置Ａへの方向であるのは、参入者Ｕ６が位置Ｄに参入して指を左から右（位置Ｃから位置Ａ）に平行移動させた場合か、或いは、参入者Ｕ６が位置Ａに参入して指を上から下（位置Ｃから位置Ａ）に平行移動させた場合かのいずれかである。以下に示す処理により、上記のいずれの場合であるかを判定する。
【００９５】
操作解析部１０２は、図１１における開始点Ｐ３及び開始点Ｑ３の位置関係を解析する。操作解析部１０２は、人差し指及び中指の長さが異なることを利用し、候補位置より見て、左側の点が右側の点よりも候補位置に近い場合、その候補位置が参入位置であると判定する。以下で、具体的な判定処理について説明する。
【００９６】
図１１の場合で、候補位置を位置Ａとし、以下のように判定を行う。位置Ａから見て、左側の点であるＱ３が、右側の点であるＰ３より候補位置である位置に近いことから、参入者Ｕ６が位置Ａに参入したと判定する。このとき、Ｐ３が中指、Ｑ３が人指し指、すなわち図１１の白丸は人差し指、黒丸は中指の接触位置である。
【００９７】
なお、候補位置を位置Ｄとすると、以下のように判定される。位置Ｄから見て、左側の点であるＰ３が、右側の点であるＱ３より候補位置である位置Ｄから遠いことから、参入者Ｕ６が参入した位置は位置Ｄではないと判定される。よって、候補位置を位置Ａとしたときの判定と矛盾しない。
【００９８】
参入者Ｕ６の位置を特定すると、操作解析部１０２は、特定した参入者Ｕ６の参入位置と、画面分割のために指を移動させた方向との関係を解析し、画面分割方向と分割後の分割画面における画像表示方向とを決定し、画像表示方向情報として表示制御部１０３に通知する。
【００９９】
操作解析部１０２は、図１２に示すように、画面分割方向（指の移動方向）が位置Ｃから位置Ａの方向である場合、表示画面は位置Ｄ側の分割画面１２０１と位置Ｂ側の分割画面１２０２とに分割される。操作解析部１０２は、この場合、分割後の新領域は位置Ｂ側の分割画面１２０２とし、使用中だった従来の画面は位置Ｄ側の分割画面１２０１に表示することを決定する。なお、分割後の新領域を分割画面１２０１とし、使用中だった従来の画面を分割画面１２０２に表示することを決定してもよい。
【０１００】
操作解析部１０２は、参入位置と分割後の新領域の位置とを決定した後、参入位置が位置Ａであることから、新領域に表示する際の画像表示方向は位置Ｃから位置Ａの向きであり、使用中であった画面を表示する分割画面１２０１に表示する画像表示方向は位置Ａから位置Ｃの向きであることを決定する。操作解析部１０２は、決定した分割方向と分割画面における画像表示方向を表示制御部１０３に通知する。
【０１０１】
表示制御部１０３は、操作解析部１０２から通知された分割方向と、画像表示方向の情報に基づいて、表示部１０４を制御し、図１２に示されるように、位置Ｄと位置Ｂ側に画面を２分割する。分割後、位置Ｄ側の分割画面１２０１には位置Ａから位置Ｃの方向に画面表示し、位置Ｂ側の分割画面１２０２には位置Ｃから位置Ａの方向に画面表示を行う。
【０１０２】
なお、図１３に示されるように、表示装置１００（表示領域１３０１）に対して使用者Ｕ７と同じ側である位置Ａに参入者Ｕ８が参入することも可能である。この場合、参入者Ｕ８は位置Ｃから位置Ａの方向に画面を分割する。参入者の指の操作及びその操作を認識する処理は、上記と同様である。
【０１０３】
このようにすると、図１４に示されるように、参入者Ｕ８のための新領域が形成される。つまり、表示画面は位置Ｄ側の分割画面１４０１と位置Ｂ側の分割画面１４０２とに分割される。画面後の画面１４０２の画像表示方向は、参入者Ｕ８の位置の向きとなる。
【０１０４】
なお、このような場合に、位置Ｄ側の分割画面１４０１と位置Ｂ側の分割画面とのどちらに使用者のための画面を表示させるか（どちらに参入者のための画面を表示させるか）について、あらかじめ設定しておき、当該設定に従って決定するようにしてもよい。
【０１０５】
以上により、参入者が２本指を使用して直感的に画面分割を行うだけで、その移動方向と２本指の接触開始点の２点の位置関係から参入者の参入位置を特定し、画面分割後に適切な方向へ画面表示を行うことができる。
【０１０６】
なお、各実施の形態においては、画面分割する際に使用する指として、人差し指及び中指の２本指を使用する場合について説明したが、他の２本指、又は、２本以上の指を使用してもよい。他の２本指、または２本以上の指の場合も、各指の位置関係から参入者の位置を特定することができる。
【０１０７】
また、２本以上の指を使用した場合、その２本以上の指のうちの２本の指の位置から参入者の位置を特定してもよい。
【０１０８】
また、画面分割を解除することに関しては、分割時と同じ操作、つまり、分割された画面の境界線上付近に沿って、画面分割した際と同じ方向に２本以上の指を移動させることで、画面分割を解除してもよい。また、分割時と逆の方向に指を移動させることで解除してもよい。解除の操作方法にはこれら以外の方法を用いてもかまわない。
【０１０９】
また、各実施の形態における表示装置は、画像を表示可能な表示部を有する機器であればよい。
【０１１０】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の画像復号化装置などを実現するソフトウェアは、次のようなプログラムである。
【０１１１】
すなわち、このプログラムは、コンピュータに、画像を表示する表示部を備える表示装置における表示方法であって、操作者の２以上の指のそれぞれにより指定される前記表示部上の位置である指定位置を検出する操作検出ステップと、前記操作検出ステップにおいて、前記表示部の第一領域において２以上の前記指定位置が平行移動していることが検出された場合に、２以上の前記指定位置と、２以上の前記指定位置の移動方向とに基づいて、前記第一領域内に新たに生成される領域である第二領域の位置と前記第二領域に表示される画像の表示方向とを決定する操作解析ステップと、前記操作解析ステップにおいて決定された前記第二領域の位置と前記第二領域に表示される画像の表示方向とに従って、前記第二領域に画像を表示させるように前記表示部を制御する表示制御ステップとを実行させる。
【産業上の利用可能性】
【０１１２】
本発明の表示装置は、複数の操作者が１台の端末を利用する際に有用である。
【符号の説明】
【０１１３】
１００  表示装置
１０１  操作検出部
１０２  操作解析部
１０３  表示制御部
１０４  表示部
【手続補正２】
【補正対象書類名】特許請求の範囲
【補正対象項目名】全文
【補正方法】変更
【補正の内容】
【特許請求の範囲】
【請求項１】
画像を表示する表示部と、
操作者の２以上の指のそれぞれにより指定される前記表示部上の位置である指定位置を検出する操作検出部と、
前記操作検出部が、前記表示部の第一領域において２以上の前記指定位置が平行移動していることを検出した場合に、２以上の前記指定位置と、２以上の前記指定位置の移動方向とに基づいて、前記第一領域内に新たに生成される領域である第二領域の位置と前記第二領域に表示される画像の表示方向とを決定する操作解析部と、
前記操作解析部が決定した前記第二領域の位置と前記第二領域に表示される画像の表示方向とに従って、前記第二領域に画像を表示させるように前記表示部を制御する表示制御部とを備える
表示装置。
【請求項２】
前記操作解析部は、
２以上の前記指定位置の並び方向及び移動方向に基づいて、前記表示装置から見た前記操作者の方向を推定し、当該方向を前記第二領域に表示される画像の表示方向として決定する
請求項１に記載の表示装置。
【請求項３】
前記操作解析部は、
２以上の前記指定位置の並び方向及び移動方向に基づいて、前記表示装置から見た前記操作者の方向を推定し、前記第一領域が前記指定位置の軌跡に対応する線により分割されて形成される領域のうち前記操作者に近い方の領域を前記第二領域の位置として決定する
請求項１または請求項２に記載の表示装置。
【請求項４】
前記表示制御部は、
前記第一領域に表示されていた画像を、前記第一領域内の領域であって前記第二領域に含まれない領域である第三領域に表示し、前記操作者のための画像を前記第二領域に表示する
請求項１〜３のいずれか１項に記載の表示装置。
【請求項５】
前記表示制御部は、
前記第三領域に表示される画像の表示方向を、前記第一領域に表示される画像の表示方向に一致する方向に決定する
請求項４に記載の表示装置。
【請求項６】
前記表示制御部は、
前記第一領域に表示されていた画像を、前記第二領域及び前記第三領域のうち少なくとも一方に表示する
請求項４または請求項５に記載の表示装置。
【請求項７】
前記操作解析部は、
前記第一領域内において２の前記指定位置が平行移動していることを検出した場合に、２の前記指定位置と、２の前記指定位置の並び方向及び移動方向とに基づいて、前記第二領域の位置と前記第二領域に表示される画像の表示方向とを決定する
請求項１〜６のいずれか１項に記載の表示装置。
【請求項８】
画像を表示する表示部を備える表示装置における表示方法であって、
操作者の２以上の指のそれぞれにより指定される前記表示部上の位置である指定位置を検出する操作検出ステップと、
前記操作検出ステップにおいて、前記表示部の第一領域において２以上の前記指定位置が平行移動していることが検出された場合に、２以上の前記指定位置と、２以上の前記指定位置の移動方向とに基づいて、前記第一領域内に新たに生成される領域である第二領域の位置と前記第二領域に表示される画像の表示方向とを決定する操作解析ステップと、
前記操作解析ステップにおいて決定された前記第二領域の位置と前記第二領域に表示される画像の表示方向とに従って、前記第二領域に画像を表示させるように前記表示部を制御する表示制御ステップとを含む
表示方法。
【請求項９】
請求項８の表示方法をコンピュータに実行させるためのプログラム。
【手続補正３】
【補正対象書類名】図面
【補正対象項目名】全図
【補正方法】変更
【補正の内容】
【図１】
2013111202.tif 000017
【図２】
2013111202.tif 000018
【図３】
2013111202.tif 000019
【図４】
2013111202.tif 000020
【図５】
2013111202.tif 000021
【図６】
2013111202.tif 000022
【図７】
2013111202.tif 000023
【図８】
2013111202.tif 000024
【図９】
2013111202.tif 000025
【図１０】
2013111202.tif 000026
【図１１】
2013111202.tif 000027
【図１２】
2013111202.tif 000028
【図１３】
2013111202.tif 000029
【図１４】
2013111202.tif 000030
【手続補正書】
【提出日】平成25年2月26日(2013.2.26)
【手続補正１】
【補正対象書類名】特許請求の範囲
【補正対象項目名】全文
【補正方法】変更
【補正の内容】
【特許請求の範囲】
【請求項１】
画像を表示する表示部と、
操作者の利き手情報を取得する利き手情報取得部と、
前記操作者の利き手の人差し指及び中指のそれぞれにより指定される前記表示部上の位置である指定位置を検出する操作検出部と、
前記操作検出部が、前記表示部の第一領域において２の前記指定位置が平行移動していることを検出した場合に、（ｉ）２の前記指定位置の移動方向と前記利き手情報とに基づいて前記操作者が参入した位置の候補を絞り込み、（ｉｉ）２の前記指定位置の並び方向と前記利き手情報とに基づいて前記操作者が参入した位置を判定し、（ｉｉｉ）判定した前記操作者が参入した位置に基づいて、前記第一領域内に新たに生成される領域である第二領域の位置と前記第二領域に表示される画像の表示方向とを決定する操作解析部と、
前記操作解析部が決定した前記第二領域の位置と前記第二領域に表示される画像の表示方向とに従って、前記第二領域に画像を表示させるように前記表示部を制御する表示制御部とを備える
表示装置。
【請求項２】
前記操作解析部は、
２の前記指定位置の並び方向及び移動方向に基づいて、前記表示装置から見た前記操作者の方向を推定し、当該方向を前記第二領域に表示される画像の表示方向として決定する
請求項１に記載の表示装置。
【請求項３】
前記操作解析部は、
２の前記指定位置の並び方向及び移動方向に基づいて、前記表示装置から見た前記操作者の方向を推定し、前記第一領域が前記指定位置の軌跡に対応する線により分割されて形成される領域のうち前記操作者に近い方の領域を前記第二領域の位置として決定する
請求項１または請求項２に記載の表示装置。
【請求項４】
前記表示制御部は、
前記第一領域に表示されていた画像を、前記第一領域内の領域であって前記第二領域に含まれない領域である第三領域に表示し、前記操作者のための画像を前記第二領域に表示する
請求項１〜３のいずれか１項に記載の表示装置。
【請求項５】
前記表示制御部は、
前記第三領域に表示される画像の表示方向を、前記第一領域に表示される画像の表示方向に一致する方向に決定する
請求項４に記載の表示装置。
【請求項６】
前記表示制御部は、
前記第一領域に表示されていた画像を、前記第二領域及び前記第三領域のうち少なくとも一方に表示する
請求項４または請求項５に記載の表示装置。
【請求項７】
前記操作解析部は、
前記第一領域内において２の前記指定位置が平行移動していることを検出した場合に、２の前記指定位置と、２の前記指定位置の並び方向及び移動方向とに基づいて、前記第二領域の位置と前記第二領域に表示される画像の表示方向とを決定する
請求項１〜６のいずれか１項に記載の表示装置。
【請求項８】
画像を表示する表示部を備える表示装置における表示方法であって、
操作者の利き手情報を取得する利き手情報取得ステップと、
前記操作者の利き手の人差し指及び中指のそれぞれにより指定される前記表示部上の位置である指定位置を検出する操作検出ステップと、
前記操作検出ステップにおいて、前記表示部の第一領域において２の前記指定位置が平行移動していることが検出された場合に、（ｉ）２の前記指定位置の移動方向と前記利き手情報とに基づいて前記操作者が参入した位置の候補を絞り込み、（ｉｉ）２の前記指定位置の並び方向と前記利き手情報とに基づいて前記操作者が参入した位置を判定し、（ｉｉｉ）判定した前記操作者が参入した位置に基づいて、前記第一領域内に新たに生成される領域である第二領域の位置と前記第二領域に表示される画像の表示方向とを決定する操作解析ステップと、
前記操作解析ステップにおいて決定された前記第二領域の位置と前記第二領域に表示される画像の表示方向とに従って、前記第二領域に画像を表示させるように前記表示部を制御する表示制御ステップとを含む
表示方法。
【請求項９】
請求項８の表示方法をコンピュータに実行させるためのプログラム。
【請求項１０】
画像を表示する表示部と、
操作者の右手の人差し指及び中指のそれぞれにより指定される前記表示部上の位置である指定位置を検出する操作検出部と、
前記操作検出部が、前記表示部の第一領域において２の前記指定位置が平行移動していることを検出した場合に、２の前記指定位置の移動方向に基づいて前記操作者が参入した位置の候補を絞り込み、２の前記指定位置のうち前記操作者が参入した位置の候補からみて左側の前記指定位置が右側の前記指定位置よりも当該位置の候補に近い場合、当該位置の候補を前記操作者が参入した位置であると判定し、判定した前記操作者が参入した位置に基づいて前記第一領域内に新たに生成される領域である第二領域の位置と前記第二領域に表示される画像の表示方向とを決定する操作解析部と、
前記操作解析部が決定した前記第二領域の位置と前記第二領域に表示される画像の表示方向とに従って、前記第二領域に画像を表示させるように前記表示部を制御する表示制御部とを備える
表示装置。
【請求項１１】
画像を表示する表示部と、
操作者の左手の人差し指及び中指のそれぞれにより指定される前記表示部上の位置である指定位置を検出する操作検出部と、
前記操作検出部が、前記表示部の第一領域において２の前記指定位置が平行移動していることを検出した場合に、２の前記指定位置の移動方向に基づいて前記操作者が参入した位置の候補を絞り込み、２の前記指定位置のうち前記操作者が参入した位置の候補からみて右側の前記指定位置が左側の前記指定位置よりも当該位置の候補に近い場合、当該位置の候補を前記操作者が参入した位置であると判定し、判定した前記操作者が参入した位置に基づいて前記第一領域内に新たに生成される領域である第二領域の位置と前記第二領域に表示される画像の表示方向とを決定する操作解析部と、
前記操作解析部が決定した前記第二領域の位置と前記第二領域に表示される画像の表示方向とに従って、前記第二領域に画像を表示させるように前記表示部を制御する表示制御部とを備える
表示装置。
【国際調査報告】
2013111202.tif 000031
2013111202.tif 000032